(57)【要約】      （修正有）【課題】作業場所に応じて設置方法を使い分けることを可能にすることにより、作業車などに積んだままにして必要に応じて利用するなど、使い勝手のよい作業中表示装置を提供する。【解決手段】作業中を報知する報知部１１と、該報知部に連設されて所望の設置位置に取り付ける取付部１２と、を備えて、作業中であることを通行人などの第三者に知らせる作業中表示装置１０であって、取付部は、移動部材５１がスライドして固定部材４１に接近することにより突出部の間に設置場所の部材を挟んで取り付けることができるとともに、この固定部材と移動部材の突出部は、互いに密接する状態ではパイロン１００の頂部の取付穴内に差し込んで固定することができる外形形状に形成されている。【選択図】図１
2008209518.tif 000002
【特許請求の範囲】
【請求項１】
作業中を報知する報知部と、該報知部に連設されて所望の設置位置に取り付ける取付部と、を備えて、作業中であることを通行人などの第三者に知らせる作業中表示装置であって、
取付部は、少なくとも一方が他方に向って接離する方向にスライド可能に設けられて、互いに接近することにより設置位置に存在する部材を挟むことのできる一対の挟持部材を有しており、
該取付部の挟持部材は、互いに接近させた状態にすることにより、所望の設置位置に存在する取付穴内に差し込んで固定することができるように外形形状が形成されていることを特徴とする作業中表示装置。
【請求項２】
前記取付部は、挟持部材に開口する挿通穴内にスライド自在に挿通させて報知部に形成されている雌ネジ穴内に螺合させて固定する雄ネジ部材と、該雄ネジ部材のネジ部に螺合させて該挟持部材の一方を他方に向って押し付ける方向に回転させることにより当該挟持部材を固定するロック部材と、を備えており、
雄ネジ部材には、ネジ部の長さ方向に延在するスライド用溝が刻設されているとともに、該雄ネジ部材をスライド自在に挿通穴内に挿通する挟持部材には、該スライド用溝内に嵌り込む状態でスライド可能なスライド用突片が設けられていることを特徴とする請求項１に記載の作業中表示装置。
【請求項３】
前記取付部の挟持部材は、互いに接近して圧接する対向面に、電柱の足場ボルトの外周面に密接する形状が形成されているとともに、該足場ボルトの外周面に密接する箇所が滑り難い材料により作製されていることを特徴とする請求項１または２に記載の作業中表示装置。
【請求項４】
前記取付部は、電柱の外周に巻き付けて固定する巻付部材と、該巻付部材に連設されて挟持部材間に挟み込むことにより固定することのできる固定部材と、を備えるアタッチメントを備えることを特徴とする請求項１から３のいずれかに記載の作業中表示装置。
【請求項５】
前記報知部は、作業中である旨を表示するシート部材と、該シート部材を吊り下げ可能に形成されている棒状部材と、を備えており、
該棒状部材に取付部が連設されることを特徴とする請求項１から４のいずれかに記載の作業中表示装置。
【請求項６】
前記報知部は、作業中である旨を積極的に報知する発光手段または音声出力手段の一方あるいは双方を備えることを特徴とする請求項１から５のいずれかに記載の作業中表示装置。
【発明の詳細な説明】
【技術分野】
【０００１】
本発明は、作業中表示装置に関し、詳しくは、第三者に作業中であることを報知し易い箇所に設置することのできるものに関する。
【背景技術】
【０００２】
従来、作業中であることに気が付かずに接近する歩行者（通行人）などに危険が及ばないように、概略円錐形状の所謂、パイロンを障害物（作業中表示装置）として置くことにより、また、そのパイロン内に電灯を内装させて夜間でも視認可能にして注意を喚起することにより、その歩行者が危険箇所を回避するように迂回することを促すことが行われている（例えば、特許文献１、２参照）。
【０００３】
また、そのパイロンを利用して、工事中であることなどを明確に表示する看板等を、頂部に開口する穴内に差し込んで設置することにより、作業中表示装置として利用することも提案されている（例えば、特許文献３参照）。
【０００４】
さらに、先端側に点灯部分を有するポール状の安全標識灯の基端側に、コの字状の枠内に嵌め込んだ部材をネジで締め付けて取り付けることのできる取付部を設けることにより、所望の位置に設置することができるように工夫した作業中表示装置も提案されている（例えば、特許文献４参照）。
【特許文献１】特開２００５−１６３３１２号公報
【特許文献２】実開平５−８１３０９号公報
【特許文献３】特開２００５−１２１９１７号公報
【特許文献４】実開平５−８７０１３号公報
【発明の開示】
【発明が解決しようとする課題】
【０００５】
しかしながら、このような従来の作業中表示装置にあっては、パイロンを置くことのできる場所のときには、そのパイロンを準備して各種付属物を取り付けるなどすることにより作業中であることを報知して注意を喚起する一方、そのパイロンを置くことができなかったり、電柱の上部が作業場所であるためにパイロンを置いても気が付かない場合には、文献４に記載のような作業中表示装置を特別に準備して、所望の位置に取り付ける必要がある。
【０００６】
すなわち、従来の作業中表示装置では、作業場所に応じて、パイロンと各種付属物を準備したり、特別な作業中表示装置を準備するなどして使い分けなければならず、双方を携行するとなると嵩張ってしまう、という問題があった。
【０００７】
そこで、本発明は、作業場所に応じて設置方法を使い分けることを可能にすることにより、作業車などに積んだままにして必要に応じて利用するなど、使い勝手のよい作業中表示装置を提供することを目的とする。
【課題を解決するための手段】
【０００８】
上記課題を解決する作業中表示装置の第１の発明は、作業中を報知する報知部と、該報知部に連設されて所望の設置位置に取り付ける取付部と、を備えて、作業中であることを通行人などの第三者に知らせる作業中表示装置であって、取付部は、少なくとも一方が他方に向って接離する方向にスライド可能に設けられて、互いに接近することにより設置位置に存在する部材を挟むことのできる一対の挟持部材を有しており、該取付部の挟持部材は、互いに接近させた状態にすることにより、所望の設置位置に存在する取付穴内に差し込んで固定することができるように外形形状が形成されていることを特徴とするものである。
【０００９】
この発明では、報知部に連設する取付部の挟持部材を互いに接離させることにより、作業場所の所望の位置にある部材を挟んだ状態にして取り付けることができ、また、適した部材がない場合でも取付穴があればそこに差し込んで取り付けることができるとともに、その取付穴がない場合でも、例えば、パイロンの頂部に存在する穴を取付穴として内部に差し込んで取り付けることができる。したがって、作業位置に直接取り付けることのできる場合と、作業位置に置いたパイロンなどに取り付ける必要がある場合との双方で用いることのできる作業中表示装置として携行することができ、他の作業中表示装置やその付属装置を携行する必要性をなくすことができる。
【００１０】
上記課題を解決する作業中表示装置の第２の発明は、上記第１の発明の特定事項に加え、前記取付部は、挟持部材に開口する挿通穴内にスライド自在に挿通させて報知部に形成されている雌ネジ穴内に螺合させて固定する雄ネジ部材と、該雄ネジ部材のネジ部に螺合させて該挟持部材の一方を他方に向って押し付ける方向に回転させることにより当該挟持部材を固定するロック部材と、を備えており、雄ネジ部材には、ネジ部の長さ方向に延在するスライド用溝が刻設されているとともに、該雄ネジ部材をスライド自在に挿通穴内に挿通する挟持部材には、該スライド用溝内に嵌り込む状態でスライド可能なスライド用突片が設けられていることを特徴とするものである。
【００１１】
この発明では、取付部の挟持部材を報知部に連設する雄ネジ部材にロック部材によりスライド不能に固定することができ、この挟持部材を互いの接離方向にスライドさせる際には、雄ネジ部材のスライド用溝内に挟持部材のスライド用突片が嵌り込む状態でスライドさせることができる。したがって、互いに対向する姿勢を維持したまま取付部の挟持部材を接離方向にスライドさせることができ、ロック部材の螺合回転などにつられて挟持部材同士の対向面がずれてしまうことなく、その対向面間に設置位置の部材を挟み込んで容易に取り付けることができる。
【００１２】
上記課題を解決する作業中表示装置の第３の発明は、上記第１または第２の発明の特定事項に加え、前記取付部の挟持部材は、互いに接近して圧接する対向面に、電柱の足場ボルトの外周面に密接する形状が形成されているとともに、該足場ボルトの外周面に密接する箇所が滑り難い材料により作製されていることを特徴とするものである。
【００１３】
この発明では、取付部の挟持部材の対向面間に電柱の足場ボルトをそのまま滑らないように挟んで回転しないように取り付けることができる。したがって、電柱に登って作業をする際には、視認し易い位置の足場ボルトに作業中表示装置を取り付けて作業中であることを歩行者などに認識させることができる。
【００１４】
上記課題を解決する作業中表示装置の第４の発明は、上記第１から第３のいずれかの発明の特定事項に加え、前記取付部は、電柱の外周に巻き付けて固定する巻付部材と、該巻付部材に連設されて挟持部材間に挟み込むことにより固定することのできる固定部材と、を備えるアタッチメントを備えることを特徴とするものである。
【００１５】
この発明では、電柱に巻付部材を巻き付けて固定した固定部材を取付部の挟持部材の対向面間に挟んで取り付けることができる。したがって、足場ボルトのない箇所でも、あるいは、足場ボルト自体のない電柱でも、視認し易い位置に作業中表示装置を取り付けて作業中であることを歩行者などに認識させることができる。
【００１６】
上記課題を解決する作業中表示装置の第５の発明は、上記第１から第４のいずれかの発明の特定事項に加え、前記報知部は、作業中である旨を表示するシート部材と、該シート部材を吊り下げ可能に形成されている棒状部材と、を備えており、該棒状部材に取付部が連設されることを特徴とするものである。
【００１７】
この発明では、取付部に連設する報知部の棒状部材に吊り下げられているシート部材に、作業中であることを具体的に表示することができる。したがって、明確に作業中であることを歩行者などに認識させることができる。
【００１８】
上記課題を解決する作業中表示装置の第６の発明は、上記第１から第５のいずれかの発明の特定事項に加え、前記報知部は、作業中である旨を積極的に報知する発光手段または音声出力手段の一方あるいは双方を備えることを特徴とするものである。
【００１９】
この発明では、取付部に連設する報知部の一部または全体を発光させて、あるいは、音声出力して、注意を引くことができる。したがって、作業中であることを示す表示を歩行者などに積極的に認識させることができる。
【発明の効果】
【００２０】
このように本発明によれば、作業位置近傍の部材を取付部の挟持部材で挟んで、あるいは、その挟持部材をパイロン頂部などの取付穴に差し込んで報知部を取り付けることができ、作業中を表示して報知するのに最適な位置に作業中表示装置を設置することができる。したがって、余分な付属装置を携行することなく、パイロンなどと共に作業中表示装置を邪魔にならないように作業車などに積むことができ、作業場所に応じて作業中表示装置の設置方法を使い分けて作業中であることを歩行者などの第三者に報知することができる。この結果、歩行者などに注意を効果的に喚起させることのできる使い勝手のよい作業中表示装置を提供することができる。
【発明を実施するための最良の形態】
【００２１】
以下、本発明の最良の実施形態を図面に基づいて説明する。図１〜図１９は本発明に係る作業中表示装置の一実施形態を示す図である。
【００２２】
図１において、作業中表示装置１０は、作業中であることを通行人（第三者）などに報知するための報知部１１と、所望の位置に取り付けるための取付部１２と、を備えており、報知部１１は、例えば、高所で作業している際に「頭上注意  柱上作業中」という旨を表示するシート部材１３を棒状部材１４に吊り下げるとともに、取付部１２は、作業位置に設置可能なパイロン（コーンともいう）１００の頂部にその棒状部材１４を固定・取付することができるように設計されている。
【００２３】
ここで、パイロン１００は、図２に示すように、中空の概略円錐形状に形成されて、図３に示すように、注意を促す表示板１１０等を頂部に取り付けて作業場所などに設置することができる。このパイロン１００は、図４に示す表示板１１０の下部に形成されている円柱形状１１１を差し込んで取り付けることができるように、円形に開口する取付穴１０１を頂部に備えており、その取付穴１０１の縦溝１０２に表示板１１０の円柱形状１１１の外周面に形成されている突起１１２を係合させることにより、その表示板１１０が自由に回転しないように取り付けることができるようになっている。なお、このパイロン１００は、概略四角のウェイト１０５の開口１０６内に差し込むことにより転倒することがないように所望の位置に設置することができる。
【００２４】
報知部１１の棒状部材１４は、図５に示すように、注意を喚起する赤色や黄色のプラスチックにより作製されているとともに、光を反射する反射テープ（発光手段）１５がその外周面にスパイラル状に貼り付けられることにより夜間の視認性が向上されており、その両端側と中間部の３箇所の外周面に面ファスナーのループ側部材１６が貼付されることにより、シート部材１３の一辺側から延長されている面ファスナーのフック側部材１７を巻き付けて留めることができるようになっている。これにより、通行人は、シート部材１３の表示から上方で作業していることを、明確に分り易く認識することができるとともに、夜間でもその反射テープ１５の概略全体が光を反射することにより注意を促されて作業中であることを認識することができる。
【００２５】
この報知部１１の棒状部材１４は、図６に示すように、基板２１から引き出したスイッチ２２が中央部の外面に設けられており、その基板２１には、電池２３から電力供給されてそのスイッチ２２のオン／オフにより、点滅するＬＥＤ（発光手段の発光ダイオード）２４が接続されて先端部に配設されているとともに、「ピッピ」という音声出力を繰り返すブザー（音声出力手段）２５が接続されてスイッチ２２の背面側に設置されている。これにより、通行人は、夜間に反射テープ１５による反射光がない場合でも、先端部のＬＥＤ２４の点滅により積極的に注意を促されるのと同時に、視野から外れていたり、視覚障害者である場合にも、ブザー２５からの音声出力により積極的に注意が促されて、作業中であることを認識することができる。
【００２６】
また、報知部１１の棒状部材１４は、取付部１２側の端部に雌ネジ２６が刻設されており、その雌ネジ２６に取付部１２の雄ネジ部材３１を螺合させて同一方向に延在する姿勢で連結することができる。ここで、この取付部１２の雄ネジ部材３１は、報知部１１の棒状部材１４端部の雌ネジ２６に螺合させてその底部に突き当てることにより、相対回転しないように螺合させて連結することができる。なお、この取付部１２の雄ネジ部材３１は、報知部１１の棒状部材１４端部の雌ネジ２６内に外面側から雄ネジを突出などさせることにより、相対回転を制限するようにしてもよいことは言うまでもない。
【００２７】
取付部１２の雄ネジ部材３１は、図７に示すように、報知部１１の棒状部材１４端部の雌ネジ２６に螺合させる雄ネジ部３２が一端側から他端側近傍まで刻設されており、その他端側には、雄ネジ部３２のない円柱形状の固定部３３が形成されている。
【００２８】
この取付部１２は、雄ネジ部材３１の固定部３３の端部に紐部材３８（図７（ａ）のみに図示）を通すことのできるアーチ形状３３ａが形成されており、その紐部材３８を近傍の部材に引っ掛けることにより落下してしまうことを未然に防止することができる。なお、その紐部材３８は、内部に通して外装させた状態のリング部材３９をずらすことにより引っ掛けた部材を締め付けることができ、より確実に落下してしまうことを未然に防止することができる。
【００２９】
また、取付部１２は、図８および図９に示す固定部材４１を雄ネジ部材３１の固定部３３に固定するように設計されており、その雄ネジ部材３１の雄ネジ部３２には、図１０に示す移動部材５１をその固定した固定部材４１に対して長さ方向にスライド可能に取り付けて図１１〜図１３に示す固定用のナット類（ロック部材）６１、６６で固定することができるように設計されている。
【００３０】
固定部材４１は、図８に示すように、この取付部１２の雄ネジ部材３１の固定部３３を略同一径で開口する挿通穴４２ａ内に内装する状態で連設固定する固定連設部４２と、この固定連設部４２から雄ネジ部材３１に対して直交する方向に突出して所望の位置に連結させる固定突出部４３と、を備えている。同様に、移動部材５１は、図１０に示すように、取付部１２の雄ネジ部材３１の雄ネジ部３２を略同一径で開口する挿通穴５２ａ内に内装する状態で相対移動可能に連設する移動連設部５２と、この移動連設部５２から雄ネジ部材３１に対して直交する方向に突出して所望の位置に連結させる移動突出部５３と、を備えている。
【００３１】
このうちの固定部材４１は、取付部１２の雄ネジ部材３１の固定部３３が中心軸を通過する貫通穴３４を穿孔されているのに対して、固定突出部４３の突出方向に一致して挿通穴４２ａの中心を通過する貫通穴４４がその固定突出部４３とその固定連設部４２の両端面に開口するように穿孔されている。これにより、固定部材４１は、図９に示すように、ボルト４５を固定連設部４２と固定突出部４３の貫通穴３４、４４に挿通してナット４６を螺合させることにより、取付部１２の雄ネジ部材３１の固定部３３に直交する姿勢で連設固定することができる。なお、ナット４６は、固定突出部４３の端面に形成されている六角穴４４ａ内に回転不能に収納することにより、ボルト４５に容易に螺合させることができる。
【００３２】
一方、移動部材５１は、取付部１２の雄ネジ部材３１の雄ネジ部３２が一端側から他端側の固定部３３まで直線状に連続するスライド用溝３２ａを周方向の略均等間隔に複数刻設されているのに対して、移動連設部５２の挿通穴５２ａの内面よりも内方に突出するとともにその挿通穴５２ａの開口方向に延在するスライド用突片５４がそのスライド用溝３２ａに一致する略均等間隔に複数形成されている。これにより、移動部材５１は、図１１に示すように、その雄ネジ部３２のスライド用溝３２ａにスライド用突片５４が嵌まり込んで係合するように、取付部１２の雄ネジ部材３１を移動連設部５２の挿通穴５２ａ内に挿通することにより、固定部材４１の固定突出部４３に対して移動突出部５３が周方向に回転してずれてしまうことなく長さ方向にスライドさせることができる。
【００３３】
また、この移動部材５１は、スライド用突片５４のそれぞれの先端に外方に向って突出する突起５４ａが形成されており、このスライド用突片５４先端の突起５４ａを図１２に示す締付ナット６１内に保持させることにより固定部材４１に接離する方向にスライド移動させることができ、この締付ナット６１を図１３に示すロックナット６６で回転不能にロックさせることによって、取付部１２の雄ネジ部材３１の長さ方向の所望の位置に位置決め固定することができる。
【００３４】
締付ナット６１は、図１２に示すように、概略円筒形状に形成されてその内面の雌ネジ部６２ａを取付部１２の雄ネジ部材３１の雄ネジ部３２に螺合させる雌ネジ形状部６２と、レンチなどの工具を係合させて回転させることができるように外周形状が八角形に形成されているヘッド部６３と、を備えている。ヘッド部６３は、雌ネジ形状部６２を一端面側から収納可能な有底の筒形状に形成されているとともにその他端面側には取付部１２の雄ネジ部材３１を差込可能な挿通穴６３ａが開口している。雌ネジ形状部６２は、ヘッド部６３内に収納する側に移動部材５１のスライド用突片５４先端の突起５４ａを相対回転自在に収容する回転空間６２ｂが形成されてその外面がヘッド部６３の内面に相対回転不能に固着されている。
【００３５】
すなわち、この締付ナット６１は、図１４に示すように、移動部材５１のスライド用突片５４先端の突起５４ａを雌ネジ形状部６２の回転空間６２ｂ内に収容した状態のままヘッド部６３を相対回転させることにより、その移動部材５１のスライド用突片５４を取付部１２の雄ネジ部材３１の雄ネジ部３２に形成されているスライド用溝３２ａに係合させた状態のまま、言い換えると、移動部材５１の姿勢を維持したまま、その雌ネジ形状部６２の雌ネジ部６２ａが取付部１２の雄ネジ部材３１の雄ネジ部３２に螺合する位置をその長さ方向に変更して容易に移動部材５１をスライドさせることができる。
【００３６】
ロックナット６６は、図１３に示すように、締付ナット６１のヘッド部６３と同様に、レンチなどの工具を係合させて回転させることができるように外周形状が八角形に形成されて、その内面に取付部１２の雄ネジ部材３１の雄ネジ部３２に螺合可能な雌ネジ部６６ａが形成されている。
【００３７】
これにより、取付部１２は、締付ナット６１の雌ネジ形状部６２を雄ネジ部材３１の雄ネジ部３２に螺合・回転させて移動部材５１をその長さ方向にスライドさせることにより、図１４に示すように、その雄ネジ部材３１の固定部３３に固設されている固定部材４１に密接させることができ、さらに、ロックナット６６を同様に雄ネジ部材３１の雄ネジ部３２に螺合・回転させてその締付ナット６１のヘッド部６３に圧接させることにより、その締付ナット６１が緩む方向に回転してしまうことを制限して、移動部材５１が固定部材４１に密接する状態を維持することができる。この締付ナット６１のヘッド部６３とロックナット６６の対面圧接する端面は、粗面に形成したり、互いに噛み合い係合するように凹凸を形成するなどすることにより、互いに圧接する状態が緩んで回転移動してしまうことを制限するようになっている。
【００３８】
ここで、この固定部材４１および移動部材５１は、取付部１２の雄ネジ部材３１に螺合させて連設した連設部４２、５２と突出部４３、５３の対向面４２ｂ、４３ｂ、５２ｂ、５３ｂが互いに密接可能な平面に形成されており、その背面側はパイロン１００の頂部に開口する取付穴１０１の内面に略一致する円弧面（外形形状）４３ｃ、５３ｃに形成されているとともに、その固定突出部４３の端部側の円弧面４３ｃには、パイロン１００の取付穴１０１の縦溝１０２に差込係合させることのできる突起４７が形成されている。すなわち、取付部１２は、固定部材４１および移動部材５１が締付ナット６１とロックナット６６により互いの対向面４２ｂ、４３ｂ、５２ｂ、５３ｂを密接させた状態にしたときに、これらの突出部４３、５３が表示板１１０の下部の円柱形状１１１と略同一形状になる。
【００３９】
したがって、作業中表示装置１０は、取付部１２の固定部材４１と移動部材５１の突出部４３、５３を互いに密接する状態にすることにより、パイロン１００の頂部の取付穴１０１内に差し込んでその縦溝１０２にその固定突出部４３の円弧面４３ｃから突出する突起４７を係合させることができる。よって、この作業中表示装置１０は、図１に示すように、取付部１２の雄ネジ部材３１を自由回転することのない水平姿勢に取り付けることができ、報知部１１のシート部材１３の「頭上注意  柱上作業中」という旨の表示を下方に吊り下げて広げた状態に取り付けることができる。
【００４０】
また、固定部材４１および移動部材５１は、互いに対面する突出部４３、５３の対向面４３ｂ、５３ｂには、ゴム材料４８、５８が埋め込まれており、その中央付近には円弧形状に窪む円弧溝４８ａ、５８ａが幅方向に延在するように形成されている。
【００４１】
これにより、取付部１２は、固定部材４１に対して移動部材５１が接近するように締付ナット６１によりスライドさせてロックナット６６により固定することにより、突出部４３、５３の対向面４３ｂ、５３ｂのゴム材料４８、５８の間に各種部材を挟みこんで固定することができる。すなわち、固定部材４１および移動部材５１が突出部４３、５３により部材を挟む挟持部材を構成している。
【００４２】
したがって、作業中表示装置１０は、例えば、図１５に示すように、電柱２００の足場ボルト２０１にヘッド部２１１を引っ掛けた昇降器２１０の主柱部材２１２や、図１６に示すように、電柱２００に締付ベルト２２１により取り付けたハシゴ２２０の縦棒部材２２２を、取付部１２の固定部材４１および移動部材５１の突出部４３、５３のゴム材料４８、５８間で滑らないように挟み込んで雄ネジ部材３１を水平姿勢に取り付けることができ、報知部１１のシート部材１３の「頭上注意  柱上作業中」という旨の表示を所望の高さに広げた状態で取り付けることができる。
【００４３】
同様に、この作業中表示装置１０は、図１７に示すように、取付部１２の固定部材４１および移動部材５１の突出部４３、５３のゴム材料４８、５８に形成されている円弧溝４８ａ、５８ａ内に、電柱２００の視認し易い位置の足場ボルト２０１を滑らないように挟み込んで固定して取付部１２の雄ネジ部材３１を水平姿勢に取り付けることができ、昇降器２１０やハシゴ２２０などがない場合でも、報知部１１のシート部材１３の「頭上注意  柱上作業中」という旨の表示を所望の高さに広げた状態で取り付けることができる。
【００４４】
さらに、この作業中表示装置１０は、図１８に示すように、電柱２００にベルト部（巻付部材）７２を巻き付けて面ファスナーのループ側部材７３とフック側部材７４を互いに係合させることにより固定することのできる巻付ベルト（アタッチメント）７１が付属されている。この巻付ベルト７１は、ベルト部７２を挿通させて電柱２００の外周面に板状部材７５を圧接させることにより突出部材（固定部材）７６を外方に突出する姿勢で固定するように設計されており、この突出部材７６の側面には、取付部１２の固定部材４１および移動部材５１の突出部４３、５３のゴム材料４８、５８に形成されている円弧溝４８ａ、５８ａに嵌まり込む畝形状７６ａが幅方向に延在するように形成されている。
【００４５】
したがって、作業中表示装置１０は、図１９に示すように、巻付ベルト７１のベルト部７２を電柱２００に巻き付けて外方に突出する姿勢の突出部材７６を固設することにより、取付部１２の固定部材４１および移動部材５１の突出部４３、５３のゴム材料４８、５８に形成されている円弧溝４８ａ、５８ａ内に、その突出部材７６の畝形状７６ａを挟み込んで滑らないように固定して取付部１２の雄ネジ部材３１を水平姿勢に取り付けることができ、電柱２００に足場ボルト２０１がない箇所でも、報知部１１のシート部材１３の「頭上注意  柱上作業中」という旨の表示を所望の高さに広げた状態で取り付けることができる。
【００４６】
なお、この作業中表示装置１０は、取付部１２の固定部材４１と移動部材５１の突出部４３、５３をパイロン１００の取付穴１０１以外でも、他の隙間などを取付穴として差し込んでもよく、移動部材５１を固定部材４１から離隔する方向に締付ナット６１によりスライドさせてロックナット６６により固定することによって、その突出部４３、５３の円弧面４３ｃ、５３ｃを隙間の内面に押し付けて固定することもできる。
【００４７】
このように本実施形態においては、報知部１１（シート部材１３や棒状部材１４）と共に、取付部１２（雄ネジ部材３１、固定部材４１、移動部材５１、固定用のナット類６１、６６）を携行するだけで、作業中である旨を通行人に報知して注意を喚起することができる。例えば、電柱２００上部で作業する際には、その電柱２００に取り付けた昇降器２１０やハシゴ２２０を、または、その電柱２００の足場ボルト２０１を、さらには、その電柱２００に直接巻き付けた巻付ベルト７１の突出部材７６を、取付部１２の固定部材４１と移動部材５１で挟んで取り付けることにより、あるいは、その取付部１２の固定部材４１と移動部材５１をパイロン１００の取付穴１０１内に差し込んで取り付けることにより、設置場所による制限なく報知部１１を取り付けることができ、シート部材１３を広げた状態にして「頭上注意  柱上作業中」を表示することにより、上方で作業中であることを歩行者などに認識させることができる。また、この報知部１１は、反射テープ１５による反射光や先端部のＬＥＤ２４の点滅やブザー２５からの音声出力により注意を促すことができ、作業中であることを積極的に認識させることができる。したがって、作業場所に応じた作業中表示装置や付属装置を準備して携行することなく、作業中を表示して報知するのに最適な位置に作業中表示装置１０を容易に設置して歩行者などに効果的に注意を喚起させることができる。
【産業上の利用可能性】
【００４８】
これまで本発明の一実施形態について説明したが、本発明は上述の実施形態に限定されず、その技術的思想の範囲内において種々異なる形態にて実施されてよいことは言うまでもない。
【図面の簡単な説明】
【００４９】
【図１】本発明に係る作業中表示装置の一実施形態の概略全体構成を示す図であり、そのパイロンへの取付状態を示す正面図である。
【図２】その作業中表示装置を取り付ける対象の一例であるパイロンを示す斜視図である。
【図３】そのパイロンの使用例を示す正面図である。
【図４】そのパイロンへの取付構造を示す他の装置の要部を示す一部拡大正面図である。
【図５】その作業中表示装置の要部部品の外観を示す平面図である。
【図６】その作業中表示装置の要部部品の内部構造を示す透視平面図である。
【図７】その作業中表示装置の要部部品を示す図であり、（ａ）はその平面図、（ｂ）はその一端側から見た側面図、（ｃ）はその他端側から見た側面図である。
【図８】その作業中表示装置の要部部品を示す図であり、（ａ）はその縦断正面図、（ｂ）はその一面側から見た側面図、（ｃ）はその他面側から見た側面図、（ｄ）はその上面図、（ｅ）はその下面図である。
【図９】その図７および図８に示す要部部品の組み立てを説明する分解正面図である。
【図１０】その作業中表示装置の要部部品を示す図であり、（ａ）はその縦断正面図、（ｂ）はその一面側から見た側面図、（ｃ）はその他面側から見た側面図、（ｄ）はその上面図、（ｅ）はその下面図である。
【図１１】その図７〜図１０に示す要部部品の組み立て状態を説明する組立正面図である。
【図１２】その作業中表示装置の要部部品を示す図であり、（ａ）はその側面図、（ｂ）はその縦断正面図である。
【図１３】その作業中表示装置の要部部品を示す図であり、（ａ）はその側面図、（ｂ）はその縦断正面図である。
【図１４】その図７〜図１３に示す要部部品の組み立て状態を説明する組立正面図である。
【図１５】その作業中表示装置の昇降器への取付状態を示す正面図である。
【図１６】その作業中表示装置のハシゴへの取付状態を示す正面図である。
【図１７】その作業中表示装置の電柱の足場ボルトへの取付状態を示す正面図である。
【図１８】その作業中表示装置の要部部品を示す図であり、（ａ）はその上面図、（ｂ）はその平面図である。
【図１９】その作業中表示装置の電柱への取付状態を示す正面図である。
【符号の説明】
【００５０】
１０……作業中表示装置    １１……報知部    １２……取付部    １３……シート部材    １４……棒状部材    １５……反射テープ    １６、７３……ループ側部材（面ファスナー）    １７、７４……フック側部材（面ファスナー）    ２１……基板    ２２……スイッチ    ２３……電池    ２４……ＬＥＤ    ２５……ブザー    ２６……雌ネジ    ３１……雄ネジ部材    ３２ａ……スライド用溝    ３３……固定部    ３８……紐部材    ４１……固定部材    ４２……固定連設部    ４２ａ、５２ａ、６３ａ……挿通穴    ４３……固定突出部    ４３ｃ、５３ｃ……円弧面    ４７……突起    ４８、５８……ゴム材料    ４８ａ、５８ａ……円弧溝    ５１……移動部材    ５２……移動連設部    ５３……移動突出部    ５４……スライド用突片    ５４ａ……突起    ６１……締付ナット    ６２……雌ネジ形状部    ６２ｂ……回転空間    ６３……ヘッド部
６６……ロックナット    ６６ａ……雌ネジ部    ７１……巻付ベルト    ７２……ベルト部    ７６……突出部材    ７６ａ……畝形状    １００……パイロン    １０１……取付穴    １０２……縦溝    ２００……電柱    ２０１……足場ボルト    ２１０……昇降器    ２１２……主柱部材    ２２０……ハシゴ    ２２１……締付ベルト    ２２２……縦棒部材
【図１】
2008209518.tif 000003
【図２】
2008209518.tif 000004
【図３】
2008209518.tif 000005
【図４】
2008209518.tif 000006
【図５】
2008209518.tif 000007
【図６】
2008209518.tif 000008
【図７】
2008209518.tif 000009
【図８】
2008209518.tif 000010
【図９】
2008209518.tif 000011
【図１０】
2008209518.tif 000012
【図１１】
2008209518.tif 000013
【図１２】
2008209518.tif 000014
【図１３】
2008209518.tif 000015
【図１４】
2008209518.tif 000016
【図１５】
2008209518.tif 000017
【図１６】
2008209518.tif 000018
【図１７】
2008209518.tif 000019
【図１８】
2008209518.tif 000020
【図１９】
2008209518.tif 000021